(57)【特許請求の範囲】
【請求項１】
ハウジングを備え、ハウジングの内部にはパワーモジュール、健康処理モジュール、夏季負荷モジュール、冬季快適モジュール、安全処理モジュール、空気供給モジュールが設置され、健康処理モジュール、夏季負荷モジュール、冬季快適モジュール、安全処理モジュールはパワーモジュールの外周に設置され、空気供給モジュールはパワーモジュールの後方に設置され、
前記パワーモジュールはハウジング上に設置される空気入口フランジを備え、空気入口フランジの後にはパワーモジュールハウジングが設置され、パワーモジュールハウジングの中には可変周波数モータによって駆動される不被覆遠心ファンが設置され、不被覆遠心ファンの前にはフラットタイププライマリーフィルターが設置され、パワーモジュールハウジング上には第一拡散通風口、第二拡散通風口、第三拡散通風口、第四拡散通風口が設置され、
前記健康処理モジュールは第一拡散通風口の両側に設置される第一直列接続通風口、第四直列接続通風口を備え、第一直列接続通風口と第四直列接続通風口の間には第一直通通風口が設置され、モジュールの内部には紫外線殺菌装置、中級効果静電フィルターが取り付けられ、
前記夏季負荷モジュールは第二拡散通風口の両側に設置される第一直列接続通風口、第二直列接続通風口を備え、第一直列接続通風口と第二直列接続通風口の間には第二直通通風口が設置され、モジュールの内部には表面冷却コイル、ヒートパイプタイプ再加熱コイルが取り付けられ、
前記安全処理モジュールは第三拡散通風口の両側に設置される第二直列接続通風口、第三直列接続通風口を備え、第二直列接続通風口と第三直列接続通風口の間には第三直通通風口が設置され、モジュールの内部にはＰＭ２．５濾過及び検出装置が取り付けられ、
前記冬季快適モジュールは第四拡散通風口の両側に設置される第四直列接続通風口、第三直列接続通風口を備え、第四直列接続通風口と第三直列接続通風口の間には第四直通通風口が設置され、モジュールの内部には加熱コイル、加湿器が取り付けられ、
前記空気供給モジュールは、ハウジングのバックエンドに位置し且つ第一直通通風口、第二直通通風口、第三直通通風口、第四直通通風口と通じる空気供給口を備え、空気供給口の前には空気生態モニターが設置されることを特徴とするディスクタイプ空気生態箱。
【請求項２】
過渡季節において、空気の品質が良い場合、空気流はパワー輸送モジュール及び空気供給モジュールを経過して室内に空気を供給し、気流経路は、空気入口→第一拡散通風口→第一直通通風口→空気供給口であり、その他の通風口は全て閉じられており、空気の品質が悪い場合、空気流はパワーモジュール、健康処理モジュール、空気供給モジュールを経過して室内に空気を供給し、気流経路は、空気入口→第一拡散通風口→第一直列接続通風口→第二直通通風口→空気供給口であり、その他の通風口は全て閉じられており、空気の品質が非常に悪い場合、空気流はパワー輸送モジュール、安全処理モジュール、静圧空気供給モジュールを経過して室内に空気を供給し、気流経路は、空気入口→第三拡散通風口→第三直列接続通風口→第四直通通風口→空気供給口であり、その他の通風口は全て閉じられ、
夏季エアコン季節において、屋外の空気の品質が良い場合、空気流はパワーモジュール、夏季負荷モジュール、静圧空気供給モジュールを経過して室内に空気を供給し、気流経路は、空気入口→第二拡散通風口→第二直列接続通風口→第三直通通風口→空気供給口であり、その他の通風口は全て閉じられており、屋外の空気の品質が悪い場合、空気流はパワーモジュール、健康処理モジュール、夏季負荷モジュール、空気供給モジュールを経過して室内に空気を供給し、気流経路は、空気入口→第一拡散通風口→第一直列接続通風口→第二直列接続通風口→第三直通通風口→空気供給口であり、その他の通風口は全て閉じられており、霧ともやがある場合、空気流はパワーモジュール、健康処理モジュール、夏季負荷モジュール、安全処理モジュール、空気供給モジュールを経過して室内に空気を供給し、気流経路は、空気入口→第一拡散通風口→第一直列接続通風口→第二直列接続通風口→第三直列接続通風口→第四直通通風口→空気供給口であり、その他の通風口は全て閉じられ、
冬季において、屋外の空気の品質が良い場合、空気は輸送モジュール、冬季快適モジュール、空気供給モジュールを経過して室内に空気を供給し、気流経路は、空気入口→第四拡散通風口→第四直列接続通風口→第一直通通風口→空気供給口であり、その他の通風口は全て閉じられており、屋外の空気の品質が悪い場合、空気はパワーモジュール、冬季快適モジュール、健康処理モジュール、空気供給モジュールを経過して室内に空気を供給し、気流経路は、空気入口→第四拡散通風口→第四直列接続通風口→第一直列接続通風口→第二直通通風口→空気供給口であり、その他の通風口は全て閉じられており、屋外の空気の品質が非常に悪い場合、空気はパワー輸送モジュール、安全処理モジュール、冬季快適モジュール、空気供給モジュールを経過して室内に空気を供給し、気流経路は、空気入口→第三拡散通風口→第三直列接続通風口→第四直列接続通風口→第一直通通風口→空気供給口であり、その他の通風口は全て閉じられることを特徴とするディスクタイプ空気生態箱を利用する気候性生態化空気調節方法。
【発明の詳細な説明】
【技術分野】
【０００１】
本発明は、ディスクタイプ空気生態箱の気候性生態化空気調節方法に関するものである。
【背景技術】
【０００２】
空気処理ユニット（Ａｉｒ  ｈａｎｄｌｉｎｇ  ｕｎｉｔ，ＡＨＵ）はほぼ全ての空気エアコンシステムに広く用いられ、現在、様々な空気処理ユニットに対する市場の年需要量は約１２万台であり、実際に使用する空気処理ユニットは約１００万台である。
【０００３】
組合式エアコンユニットは、空気処理システムのコア装置として、少なくとも輸送、加熱、冷却、加湿、除湿、濾過、消音、熱回収などの機能セグメントの中の複数を備え、システムごとに、気候、空気環境などのパラメーターに基づいて異なる機能セグメントを設計する。伝統的な空気処理ユニットの機能セグメントは全て直列接続方式を採用し、システムの作動状態、機能によってユニット製品を製造し、ユニットが生産されて取付けられると、作動する機能セグメントは固定で不変である。
【０００４】
我々が生活する気候環境が絶えずに悪化しているので、空気処理ユニットの機能セグメントはますます多くなり、現在、多くのシステムの空気処理ユニットは全て初中級濾過、表面冷却、加熱、加湿、殺菌などの機能セグメントを集積して、ユニットのエネルギー消費量を上昇させる一方、エネルギー消費問題が深刻になって、エアコンシステムの省エネ問題がますます注目されており、多くの設計業者、ユーザー及び生産業者は空気処理ユニットのエネルギー消費量に対して研究を行っている。例えば、過渡季節に加熱コイル及び冷却コイルをバイパスするが、バイパス技術はユニット断面を増加することを必要として、材料を浪費するとともに、エンジンルームの面積を増加することを必要として、グリーン建築の土地の節約、材料節約のコンセプトには合わない。  
【発明の概要】
【発明が解決しようとする課題】
【０００５】
本発明の目的は、合理的な構造及び優れるパーフォーマンスを有するディスクタイプ空気生態箱及び気候性生態化空気調節方法を提供する。
【課題を解決するための手段】
【０００６】
本発明のディスクタイプ空気生態箱は、ハウジングを備え、ハウジングの内部にはパワーモジュール、健康処理モジュール、夏季負荷モジュール、冬季快適モジュール、安全処理モジュール、空気供給モジュールが設置され、健康処理モジュール、夏季負荷モジュール、冬季快適モジュール、安全処理モジュールはパワーモジュールの外周に設置され、空気供給モジュールはパワーモジュールの後方に設置され；前記パワーモジュールはハウジング上に設置される空気入口フランジを備え、空気入口フランジの後にはパワーモジュールハウジングが設置され、パワーモジュールハウジングの中には可変周波数モータによって駆動される不被覆遠心ファン（Ｕｎｈｏｕｓｅｄ ｃｅｎｔｒｉｆｕｇａｌ ｆａｎ）が設置され、不被覆遠心ファンの前にはフラットタイププライマリーフィルターが設置され、パワーモジュールハウジング上には第一拡散通風口、第二拡散通風口、第三拡散通風口、第四拡散通風口が設置され；前記健康処理モジュールは第一拡散通風口の両側に設置される第一直列接続通風口、第四直列接続通風口を備え、第一直列接続通風口と第四直列接続通風口の間には第一直通通風口が設置され、モジュールの内部には紫外線殺菌装置、中級効果静電フィルターが取り付けられ；前記夏季負荷モジュールは第二拡散通風口の両側に設置される第一直列接続通風口、第二直列接続通風口を備え、第一直列接続通風口と第二直列接続通風口の間には第二直通通風口が設置され、モジュールの内部には表面冷却コイル、ヒートパイプタイプ再加熱コイルが取り付けられ；前記安全処理モジュールは第三拡散通風口の両側に設置される第二直列接続通風口、第三直列接続通風口を備え、第二直列接続通風口と第三直列接続通風口の間には第三直通通風口が設置され、モジュールの内部にはＰＭ２．５濾過及び検出装置が取り付けられ；前記冬季快適モジュールは第四拡散通風口の両側に設置される第四直列接続通風口、第三直列接続通風口を備え、第四直列接続通風口と第三直列接続通風口の間には第四直通通風口が設置され、モジュールの内部には加熱コイル、加湿器が取り付けられ；前記空気供給モジュールは、ハウジングのバックエンドに位置し且つ第一直通通風口、第二直通通風口、第三直通通風口、第四直通通風口と通じる空気供給口を備え、空気供給口の前には空気生態モニターが設置されることを特徴とする。
【０００７】
本発明のディスクタイプ空気生態箱を利用する気候性生態化空気調節方法は、過渡季節において、空気の品質が良い場合、空気流はパワー輸送モジュール及び空気供給モジュールを経過して室内に空気を供給し、気流経路は、空気入口→第一拡散通風口→第一直通通風口→空気供給口であり、その他の通風口は全て閉じられ；空気の品質が悪い場合、空気流はパワーモジュール、健康処理モジュール、空気供給モジュールを経過して室内に空気を供給し、気流経路は、空気入口→第一拡散通風口→第一直列接続通風口→第二直通通風口→空気供給口であり、その他の通風口は全て閉じられ；空気の品質が非常に悪い場合、空気流はパワー輸送モジュール、安全処理モジュール、静圧空気供給モジュールを経過して室内に空気を供給し、気流経路は、空気入口→第三拡散通風口→第三直列接続通風口→第四直通通風口→空気供給口であり、その他の通風口は全て閉じられる。
【０００８】
夏季エアコン季節において、屋外の空気の品質が良い場合、空気流はパワーモジュール、夏季負荷モジュール、静圧空気供給モジュールを経過して室内に空気を供給し、気流経路は、空気入口→第二拡散通風口→第二直列接続通風口→第三直通通風口→空気供給口であり、その他の通風口は全て閉じられ；屋外の空気の品質が悪い場合、空気流はパワーモジュール、健康処理モジュール、夏季負荷モジュール、空気供給モジュールを経過して室内に空気を供給し、気流経路は、空気入口→第一拡散通風口→第一直列接続通風口→第二直列接続通風口→第三直通通風口→空気供給口であり、その他の通風口は全て閉じられ；霧ともや（Ｆｏｇ ａｎｄ ｈａｚｅ）がある場合、空気流はパワーモジュール、健康処理モジュール、夏季負荷モジュール、安全処理モジュール、空気供給モジュールを経過して室内に空気を供給し、気流経路は、空気入口→第一拡散通風口→第一直列接続通風口→第二直列接続通風口→第三直列接続通風口→第四直通通風口→空気供給口であり、その他の通風口は全て閉じられる。
【０００９】
冬季において、屋外の空気の品質が良い場合、空気は輸送モジュール、冬季快適モジュール、空気供給モジュールを経過して室内に空気を供給し、気流経路は、空気入口→第四拡散通風口→第四直列接続通風口→第一直通通風口→空気供給口であり、その他の通風口は全て閉じられ；屋外の空気の品質が悪い場合、空気はパワーモジュール、冬季快適モジュール、健康処理モジュール、空気供給モジュールを経過して室内に空気を供給し、気流経路は、空気入口→第四拡散通風口→第四直列接続通風口→第一直列接続通風口→第二直通通風口→空気供給口であり、その他の通風口は全て閉じられ；屋外の空気の品質が非常に悪い場合、空気はパワー輸送モジュール、安全処理モジュール、冬季快適モジュール、空気供給モジュールを経過して室内に空気を供給し、気流経路は、空気入口→第三拡散通風口→第三直列接続通風口→第四直列接続通風口→第一直通通風口→空気供給口であり、その他の通風口は全て閉じられることを特徴とする。
【発明の効果】
【００１０】
本発明は合理的な構造及び優れるパーフォーマンスを有する。ディスクタイプ空気生態箱の機能セグメントはディスクタイプ並列接続構造を採用し、伝統的な空気処理装置の直列式構造を突破し、各々の空気処理機能モジュールに対する自由選択を実現して、空気処理過程を最も合理的な作動状態で作動させる。
【００１１】
ディスクタイプ空気生態箱は著しい土地の節約、材料の節約性能を有する。１００００ｍ３/ｈの空気処理装置を例に挙げると、装置機能は混合、初級濾過、静電濾過、表面冷却、加熱、加湿、ファンによる空気供給、ｐｍ２．５濾過検出などを含み、ディスクタイプ構造の装置を採用する際、敷地面積は３ｍ２（３ｍ×１ｍ）であるが、伝統的な空気処理装置の敷地面積は９ｍ２（６ｍ×１．５ｍ）であるので、土地を約６６％節約する。ディスクタイプ空気生態箱のウォールフレームは３０ｍ２であるが、伝統的な空気処理装置のウォールは約３７．２ｍ２であるので、材料を約２４％節約することができる。
【００１２】
装置の省エネ性が頭抜けており、過渡季節の省エネ率は４３％であり、年度省エネ率は３０％以上である。過渡季節に拡散通風口Ｓ ＩＶを開けて屋外の新しい空気に対してＰＭ２．５を濾過し、装置内部圧損失は約１５０Ｐａであり、１００００ｍ３/ｈの空気量及び残圧４５０Ｐａで計算すると、ファン全圧は６００Ｐａであり、電力消費は約２．５ｋｗであるが、従来の装置は全ての機能セグメントを経過しなければならなく、ファン全圧は約１１００Ｐａであり、電力消費は約４．４ｋｗであり、装置の省エネ率は４３％である。夏季エアコン季節に拡散通風口Ｓ Ｉ、拡散通風口Ｓ Ｉ、直通通風口Ｐ ＩＩを開け、装置内部抵抗は約３００Ｐａであり、ファン全圧は約７５０Ｐａであり、電力消費は約３．０ｋｗであり、装置の省エネ率は３２％である。
【００１３】
装置は多機能空気生態モニターを有し、外部環境気候及び空気品質が変化する場合、装置は検出結果によって作動モジュールを知能化的に選択することができ、屋内生態化の空気品質を確保する。
【００１４】
装置は空気安全処理機能を有し、空気中の危険性気体又は生物成分をリアルタイムで監視することができ、新鮮空気の生物化学的汚染を予防することができ、システム作動の信頼性を確保する。
【００１５】
ディスクタイプ構造を採用するので、装置は３６０°回転可能である。システムの要求又は現場の実際取付け方式に基づいて、パイプ接続位置及び配線位置を調整することができ、インストールは便利であり、メンテナンスは簡単である。
【００１６】
夏季はヒートパイプタイプ再加熱コイルを配置して、再加熱エネルギー消耗がなくても、低温度低湿度空気供給を実現することができ、基本的な熱負荷条件を満たす上で、屋内の快適度を高める。
【図面の簡単な説明】
【００１７】
【図１】本発明の１つの実施例の構造を示す図である。
【図２】パワーモジュールの構造を示す図である。
【発明を実施するための形態】
【００１８】
以下、図面を参照して本発明に対して詳しく説明する。
【００１９】
ディスクタイプ空気生態箱は、ハウジングを備え、ハウジングの内部にはパワーモジュール、健康処理モジュール、夏季負荷モジュール、冬季快適モジュール、安全処理モジュール、空気供給モジュールが設置され、健康処理モジュール、夏季負荷モジュール、冬季快適モジュール、安全処理モジュールはパワーモジュールの外周に設置され、空気供給モジュールはパワーモジュールの後方に設置されている。、前記パワーモジュールはハウジング上に設置される空気入口フランジを備え、空気入口フランジの後にはパワーモジュールハウジングが設置され、パワーモジュールハウジングの中には可変周波数モータによって駆動される不被覆遠心ファン（Ｕｎｈｏｕｓｅｄ ｃｅｎｔｒｉｆｕｇａｌ ｆａｎ）が設置され、不被覆遠心ファンの前にはフラットタイププライマリーフィルターが設置され、パワーモジュールハウジング上には第一拡散通風口、第二拡散通風口、第三拡散通風口、第四拡散通風口が設置されている。前記健康処理モジュールは第一拡散通風口の両側に設置される第一直列接続通風口、第四直列接続通風口を備え、第一直列接続通風口と第四直列接続通風口の間には第一直通通風口が設置され、モジュールの内部には紫外線殺菌装置、中級効果静電フィルターが取り付けられている。前記夏季負荷モジュールは第二拡散通風口の両側に設置される第一直列接続通風口、第二直列接続通風口を備え、第一直列接続通風口と第二直列接続通風口の間には第二直通通風口が設置され、モジュールの内部には表面冷却コイル、ヒートパイプタイプ再加熱コイルが取り付けられている。前記安全処理モジュールは第三拡散通風口の両側に設置される第二直列接続通風口、第三直列接続通風口を備え、第二直列接続通風口と第三直列接続通風口の間には第三直通通風口が設置され、モジュールの内部にはＰＭ２．５濾過及び検出装置が取り付けられている。前記冬季快適モジュールは第四拡散通風口の両側に設置される第四直列接続通風口、第三直列接続通風口を備え、第四直列接続通風口と第三直列接続通風口の間には第四直通通風口が設置され、モジュールの内部には加熱コイル、加湿器が取り付けられている。前記空気供給モジュールは、ハウジングのバックエンドに位置し且つ第一直通通風口、第二直通通風口、第三直通通風口、第四直通通風口と通じる空気供給口を備え、空気供給口の前には空気生態モニターが設置される。
【００２０】
ディスクタイプ空気生態箱を利用する気候性生態化空気調節方法は、過渡季節において、空気の品質が良い場合、空気流はパワー輸送モジュール及び空気供給モジュールを経過して室内に空気を供給し、気流経路は、空気入口→第一拡散通風口→第一直通通風口→空気供給口であり、その他の通風口は全て閉じられる。空気の品質が悪い場合、空気流はパワーモジュール、健康処理モジュール、空気供給モジュールを経過して室内に空気を供給し、気流経路は、空気入口→第一拡散通風口→第一直列接続通風口→第二直通通風口→空気供給口であり、その他の通風口は全て閉じられる。空気の品質が非常に悪い場合、空気流はパワー輸送モジュール、安全処理モジュール、静圧空気供給モジュールを経過して室内に空気を供給し、気流経路は、空気入口→第三拡散通風口→第三直列接続通風口→第四直通通風口→空気供給口であり、その他の通風口は全て閉じられる。
【００２１】
夏季エアコン季節において、屋外の空気の品質が良い場合、空気流はパワーモジュール、夏季負荷モジュール、静圧空気供給モジュールを経過して室内に空気を供給し、気流経路は、空気入口→第二拡散通風口→第二直列接続通風口→第三直通通風口→空気供給口であり、その他の通風口は全て閉じられる。屋外の空気の品質が悪い場合、空気流はパワーモジュール、健康処理モジュール、夏季負荷モジュール、空気供給モジュールを経過して室内に空気を供給し、気流経路は、空気入口→第一拡散通風口→第一直列接続通風口→第二直列接続通風口→第三直通通風口→空気供給口であり、その他の通風口は全て閉じられる。霧ともや（Ｆｏｇ ａｎｄ ｈａｚｅ）がある場合、空気流はパワーモジュール、健康処理モジュール、夏季負荷モジュール、安全処理モジュール、空気供給モジュールを経過して室内に空気を供給し、気流経路は、空気入口→第一拡散通風口→第一直列接続通風口→第二直列接続通風口→第三直列接続通風口→第四直通通風口→空気供給口であり、その他の通風口は全て閉じられる。
【００２２】
冬季において、屋外の空気の品質が良い場合、空気は輸送モジュール、冬季快適モジュール、空気供給モジュールを経過して室内に空気を供給し、気流経路は、空気入口→第四拡散通風口→第四直列接続通風口→第一直通通風口→空気供給口であり、その他の通風口は全て閉じられる。屋外の空気の品質が悪い場合、空気はパワーモジュール、冬季快適モジュール、健康処理モジュール、空気供給モジュールを経過して室内に空気を供給し、気流経路は、空気入口→第四拡散通風口→第四直列接続通風口→第一直列接続通風口→第二直通通風口→空気供給口であり、その他の通風口は全て閉じられる。屋外の空気の品質が非常に悪い場合、空気はパワー輸送モジュール、安全処理モジュール、冬季快適モジュール、空気供給モジュールを経過して室内に空気を供給し、気流経路は、空気入口→第三拡散通風口→第三直列接続通風口→第四直列接続通風口→第一直通通風口→空気供給口であり、その他の通風口は全て閉じられる。
【符号の説明】
【００２３】
１  ハウジング
２  空気入口フランジ
３  フラットタイププライマリーフィルター
４  不被覆遠心ファン
５  第二拡散通風口
６  可変周波数モータ
７  空気供給静圧箱
８  紫外線殺菌装置
９  中級効果静電フィルター
１０  第一直列接続通風口
１１  第二直通通風口
１２  表面冷却コイル
１３  ヒートパイプタイプ再加熱コイル
１４  第二直列接続通風口
１５  第三拡散通風口
１６  第三直通通風口
１７  ＰＭ２．５濾過及び検出装置
１８  第三直列接続通風口
１９  第四直通通風口
２０  加熱コイル
２１  加湿器
２２  第一拡散通風口
２３  第四直列接続通風口
２４  第一直通通風口
２５  空気供給口フランジ
２６  空気生態モニター
２７  装置ホルダー
２８  パワーモジュールハウジング
２９  第四拡散通風口
【要約】
本発明のディスクタイプ空気生態箱は、ハウジング（１）を備え、ハウジング（１）の内部にはパワーモジュール、健康処理モジュール、夏季負荷モジュール、冬季快適モジュール、安全処理モジュール、空気供給モジュールが設置され、健康処理モジュール、夏季負荷モジュール、冬季快適モジュール、安全処理モジュールはパワーモジュールの外周に設置され、空気供給モジュールはパワーモジュールの後方に設置される。ディスクタイプ空気生態箱の空気調節方法も提供する。【図１】
0006275928.tif 000002
【図２】
0006275928.tif 000003